(57)【特許請求の範囲】
【請求項１】
発泡剤としてアルカリ金属炭酸塩及び有機酸と、界面活性剤としてポリオキシエチレンラウリルエーテル及びラウリル硫酸ナトリウムと、酸化剤としてモノ過硫酸水素カリウム複塩又はジクロロイソシアヌル酸ナトリウム塩を配合した起泡性組成物であり、ポリオキシエチレンラウリルエーテル及びラウリル硫酸ナトリウムの配合割合が各々０．１〜２重量％であることを特徴とする起泡性組成物。
【発明の詳細な説明】
【０００１】
【発明の属する技術分野】
本発明は、高い起泡力を有し、洗浄ならびに除菌、漂白、消臭などの効果を発揮しうる起泡性組成物に関するものであり、台所、浴室、洗面所等の排水口、排水パイプ、ストレーナーなどの除菌漂白洗浄剤として好適である。
【０００２】
【従来の技術】
台所、浴室、洗面所等の排水口、排水パイプ、ストレーナー等は、使用するに従い雑菌が繁殖してスライム状物で覆われたり、水垢による白化や黒ずみなどの汚れが生じる。このような汚れは、市販されている洗剤に浸漬したのみでは容易に除去することができず、たわしやブラシ等で擦り取る必要がある。
このような汚れを簡便に洗浄除去する方法として、炭酸塩と有機酸を水中で反応させることにより、発生させた二酸化炭素ガスの泡を汚れに接触摩擦させる方法が提案されている。
【０００３】
また、洗浄力の向上、泡の持続性を付与するために各種界面活性剤が添加されたものが市販されている。しかしながら、このような起泡性組成物は、その保管中に界面活性剤が炭酸塩と有機酸の反応を促進させるという貯蔵安定性の問題があるため、界面活性剤の配合量が制限され、泡の発生量や持続性が充分なものではなかった。
更に上記のような起泡性組成物に塩素化イソシアヌル酸、ハロゲン化ヒダントイン、モノ過硫酸水素カリウム等の酸化剤を配合し、洗浄力の強化、除菌、漂白、消臭効果等を付与することも行われている。
【０００４】
例えば、特開平１１−１４８０９８号公報には、塩素系殺菌剤、有機酸及び炭酸塩、界面活性剤を配合した殺菌洗浄剤が提案されている。しかしながら、上記公報には、殺菌洗浄剤に配合すべき界面活性剤として、非イオン系、両性、陰イオン系及び陽イオン系の各種の界面活性剤が例示され、これらから選ばれる１種又は２種以上を組み合わせて用いることができると記載されているのみであって、本発明の特徴であるポリオキシエチレンラウリルエーテルとラウリル硫酸ナトリウムを併用することにより得られる作用効果については記載されていない。
【０００５】
即ち、上記公報の実施例で示される殺菌洗浄剤組成物においては、未だ充分な起泡性が得られず、起泡による汚れ除去性能が満足すべきものではない。
またこの殺菌洗浄剤の貯蔵安定性も充分なものではなく、該洗浄剤の貯蔵中に二酸化炭素ガスが発生し、包装品が膨張あるいは破裂する惧れがあった。また使用時には、二酸化炭素ガスが一部発生してしまっているので、起泡性が減少するという問題点があった。
【０００６】
このため、上記洗浄剤を製造及び包装する際には、空気中の水分の影響を排除するために作業雰囲気中の湿度を下げねばならず、また包装袋にピンホールを設けて、ガス抜きを行うなどの対策が必要なものであった。
【０００７】
【発明が解決しようとする課題】
本発明は、高い起泡力を有し、洗浄、除菌、漂白、消臭などの効果を発揮しうるとともに、製造時の作業環境の管理、あるいは包装材の処理などを必要としない、貯蔵安定性に優れた起泡性組成物を提供することを目的とする。
【０００８】
【課題を解決するための手段】
本発明者等は、上記の目的を達成しようと鋭意研究を重ねた結果、発泡剤としてアルカリ金属炭酸塩及び有機酸と、界面活性剤としてポリオキシエチレンラウリルエーテル及びラウリル硫酸ナトリウムを配合し、更に酸化剤としてモノ過硫酸水素カリウム複塩又はジクロロイソシアヌル酸ナトリウム塩を配合させることによって、所期の目的を達成するに至ったものである。
【０００９】
この種の洗浄剤には、泡による洗浄効果を得るために、発泡剤と界面活性剤が配合されている。しかしながら、従来技術に見られる例においては、界面活性剤が、主に洗浄すべき汚れの種類に応じて使い分けされていた。
【００１０】
本発明者等は、起泡性組成物に含有すべき界面活性剤としてポリオキシエチレンラウリルエーテルとラウリル硫酸ナトリウムを併用することにより、これらを各々単独で使用した場合に比べて、起泡性が飛躍的に増大することを見出した。
即ち、ラウリル硫酸ナトリウムは、従来より泡立ち性が優れている界面活性剤として知られているが（例えば、特開平１０−１５８６９５号公報）、このラウリル硫酸ナトリウムにポリオキシエチレンラウリルエーテルを併用したところ、驚くべきことに両者の相乗効果により起泡性が飛躍的に高まったのである。
【００１１】
このことにより、界面活性剤の使用量を減らすことができるので、製造コストの点で優位であり、また環境汚染の観点からも望ましいことである。
【００１２】
更に特筆すべきは、発泡剤として有機酸と炭酸塩を混合した配合物に界面活性剤としてポリオキシエチレンラウリルエーテルとラウリル硫酸ナトリウムを添加すると、前記組成物の貯蔵安定性が損なわれるという問題点をも解決することができたのである。
【００１３】
【発明の実施の形態】
本発明に使用するアルカリ金属炭酸塩は、水中で有機酸と反応して二酸化炭素ガスを発生するものであり、一般に炭酸ナトリウム、重炭酸ナトリウム、炭酸カリウム、重炭酸カリウムおよび過炭酸ナトリウムなどが知られている。
【００１４】
本発明に使用する有機酸は、２５℃において０．５重量％以上の溶解度を有するものであり、例えばコハク酸、フマル酸、クエン酸、アジピン酸、シュウ酸、Ｌ−アスコルビン酸、酒石酸、マロン酸、リンゴ酸、乳酸等が挙げられる。
【００１５】
本発明に使用する界面活性剤は、ポリオキシエチレンラウリルエーテルとラウリル硫酸ナトリウムである。
【００１６】
ポリオキシエチレンラウリルエーテルは、一般式ＲＯ（ＣＨ２ＣＨ２Ｏ）ｎＨ〔但し、Ｒは炭素数が１２の直鎖もしくは分岐鎖のアルキル基であり、且つオキシエチレン基の平均付加モル数ｎは１１〜３０である。〕で示される公知のノニオン性界面活性剤である。
【００１７】
【００１８】
上記界面活性剤の配合量は、起泡性組成物に対してそれぞれ０．１〜２重量％の割合にすべきである。
また、上記２種類の界面活性剤の併用において、どちらか一方の界面活性剤が０．１重量％未満の場合には泡の発生量、持続性が不充分であり、２重量％より多くしても泡の発生量が変わらず、また該組成物の貯蔵安定性が悪くなる。
【００１９】
本発明に使用しうる酸化剤は、ジクロロイソシアヌル酸ナトリウム塩、モノ過硫酸水素カリウム複塩を挙げることができる。
【００２０】
上記酸化剤の配合量は１０〜９０重量％の範囲にすべきである。その配合量が１０重量％より少ない場合は、使用時の活性塩素あるいは活性酸素濃度が低すぎるため、満足すべき除菌、漂白、消臭効果が得られず、また９０重量％を超える場合には、発泡剤であるアルカリ金属炭酸塩と有機酸の含有割合が少なくなり、充分な起泡性が得られない。
【００２１】
なお、本発明に使用する発泡剤、界面活性剤及び酸化剤は、固体の粉末状または顆粒状のものである。これらの原料を、常法に従って混合することにより、本発明の起泡性組成物を製造することができる。また、混合したものを圧縮成形して、造粒物、ブリケット、錠剤等の成形品とすることもできる。
【００２２】
【作用】
本発明の起泡性組成物を排水パイプ等に投入すると、発泡剤が水と反応して二酸化炭素ガスが発生し、無数の泡が形成される。これらの泡が汚れと接触することにより、汚れが剥離されるのである。更に、このようにして形成された泡は、界面活性剤の作用により安定化されるので、汚れを除去する効果も持続されるのである。
また、起泡性組成物に含有している酸化剤は、水と反応して活性塩素または活性酸素を発生し、それらが汚れの成分を酸化するので、パイプ内の除菌、漂白、消臭を行うことができる。
【００２３】
【実施例】
以下、実施例および比較例によって本発明を詳細に説明するが、本発明はこれらの実施例に制限されるものではない。
なお、実施例及び比較例において使用した原材料ならびに評価試験方法は、次のとおりである。
【００２４】
［原料］
発泡剤として；
・炭酸ナトリウム：トクヤマ製
・重炭酸ナトリウム：トクヤマ製
・過炭酸ナトリウム：日本パーオキサイド製
・コハク酸：武田薬品工業製
・クエン酸：扶桑化学工業製
・フマル酸：川崎化成工業製
界面活性剤として；
・ポリオキシエチレンラウリルエーテル：旭電化製「アデカトールＬＡ５０」
・ラウリル硫酸ナトリウム：新日本理化製「シノリン９０ＴＫ−Ｎ」
酸化剤として；
・ジクロロイソシアヌル酸ナトリウム塩：四国化成工業製「ＳＤＩＣ−ＭＧ」
・モノ過硫酸水素カリウム複塩：デュポン製「オキソン」
【００２５】
［起泡性試験］
２リットルのメスシリンダーに２５℃に調整した蒸留水４００ｍｌを注ぎ、起泡性組成物２０ｇを投入した。泡の発生が終了するのを待って、生じた泡の体積（起泡量）を計測した。泡の体積が大きいほど起泡性が優れているものと判定した。
【００２６】
［貯蔵安定性試験］
ポリプロピレン製袋（８０ｍｍ×１２０ｍｍ）に起泡性組成物２０ｇを入れてヒートシールを行い密封したものを、５０℃／９０％ＲＨに調整した恒温恒湿槽内に静置し、袋が膨張するまでの時間を計測した。袋が膨張するまでの時間が長いほど貯蔵安定性が優れているものと判定した。
【００２７】
〔実施例１〜６、比較例１〜３〕
表１に記載した配合割合（重量％）に従って、発泡剤、界面活性剤および酸化剤をドライ混合し、起泡性組成物を調製した。
得られた組成物について、起泡性試験および貯蔵安定性試験を行ったところ、これらの試験結果は表１に示したとおりであった。
【００２８】
【表１】
0004005844.tif 000002
【００２９】
表１の試験結果より、界面活性剤としてポリオキシエチレンラウリルエーテルとラウリル硫酸ナトリウムを併用したものは、ポリオキシエチレンラウリルエーテルまたはラウリル硫酸ナトリウムを単独で使用した場合に比べて、起泡性および、貯蔵安定性が飛躍的に改善されているものと認められる。
【００３０】
【発明の効果】
本発明の起泡性組成物は起泡力および貯蔵安定性に優れ、特に台所、浴室、洗面所等の排水口、排水パイプ、ストレーナーなどの除菌漂白洗浄剤として好適なものである。